(57)【要約】      （修正有）【課題】狭小スペースにおいてコネクタを接続する際の作業性を向上しつつ、コネクタカバーのコネクタからの脱落を防ぐ。【解決手段】コネクタ１００から後方に延びる電線８０を保護するコネクタカバー１であって、コネクタ１００の後方に延びる形に取り付け可能であって、コネクタ１００に固定されたカバー本体と、カバー本体の後方に配された後側カバー５０と、後側カバー５０とカバー本体とを連結する連結部７０と、後側カバー５０をコネクタ１００の後方に延びる後方延長状態に保持可能な延長形状保持部６０と、を備え、後側カバー５０は、電線８０によって側方に押されて後方延長状態が解除された後方延長解除状態に移行する。【選択図】図１
2019160540.tif 000002
【特許請求の範囲】
【請求項１】
コネクタから後方に延びる電線を保護するコネクタカバーであって、
前記コネクタの後方に延びる形に取り付け可能であって、前記コネクタに固定されたカバー本体と、
前記カバー本体の後方に配された後側カバーと、
前記後側カバーと前記カバー本体とを連結する連結部と、
前記後側カバーを前記コネクタの後方に延びる後方延長状態に保持可能な延長形状保持部と、を備え、
前記後側カバーは、前記電線によって側方に押されて前記後方延長状態が解除された後方延長解除状態に移行するコネクタカバー。
【請求項２】
前記カバー本体には前記コネクタに所定の係止力で係止する係止部が設けられ、
前記延長形状保持部が前記後側カバーを前記後方延長状態に保持する保持力は、前記電線が前記後側カバーを押す押圧力よりも小さく設定され、前記所定の係止力は、前記押圧力によって前記係止部に発生する荷重よりも大きく設定されている請求項１に記載のコネクタカバー。
【発明の詳細な説明】
【技術分野】
【０００１】
本明細書に開示された技術は、コネクタカバーに関する。
【背景技術】
【０００２】
従来、ハウジングの後面から引き出された電線を包囲する電線カバーを備えるコネクタとして、例えば特許文献１のものが知られている。このコネクタにおいては、電線カバーは、半割り形状をなしてハウジングに両側から取り付けられる一対のベース部と、半割り形状をなしてベース部に両側から取り付けられる一対のカバー本体とを備えている。一対のカバー本体の一方に設けられた係止突起と他方に設けられた係止片は、ベース部に設けられた旋回軸に対して両側から嵌められた状態で互いに係止状態とされることで、ベース部に対して旋回軸を中心に首振り可能に支持されている。
【０００３】
ベース部の側壁部には係合爪が設けられ、カバー本体の両側部には当接部が設けられている。相手の接続部がハウジングの軸線からずれた位置に配されている場合は、係合爪に当接部を係合させ、カバー本体をベース部に対して旋回させた旋回状態とする。これにより、ハウジングの後面から引き出された電線を相手の接続部の配設位置に応じた方向に引き出すことができるようになっている。
【先行技術文献】
【特許文献】
【０００４】
【特許文献１】特開２００７−２５０３９７号公報
【発明の概要】
【発明が解決しようとする課題】
【０００５】
しかし、この技術では、旋回状態とされたカバー本体から引き出された電線がさらに曲げられると、カバー本体にかかった無理な曲げ力がベース部にまで及んで、ベース部とハウジングとの係止箇所が破損してしまう懸念がある。
【課題を解決するための手段】
【０００６】
本明細書に開示された技術に係るコネクタカバーは、コネクタから後方に延びる電線を保護するコネクタカバーであって、前記コネクタの後方に延びる形に取り付け可能であって、前記コネクタに固定されたカバー本体と、前記カバー本体の後方に配された後側カバーと、前記後側カバーと前記カバー本体とを連結する連結部と、前記後側カバーを前記コネクタの後方に延びる後方延長状態に保持可能な延長形状保持部と、を備え、前記後側カバーは、前記電線によって側方に押されて前記後方延長状態が解除された後方延長解除状態に移行する。
【０００７】
この構成によれば、後側カバーは後方延長状態においてコネクタの後方に延びる形状とされるから、後側カバーの長さ分だけコネクタカバーを長寸化することができる。これにより、例えば狭小なスペースの奥方に配置された相手側コネクタに接続する際にも、後側カバーを持ってコネクタを狭小なスペースの奥方に差し込むことができ、作業性がよい。
【０００８】
また、電線が曲げられて後側カバーに当接すると、後側カバーを力点とし、カバー本体のコネクタとの取付箇所を支点としてコネクタカバーを回転変位させる力がコネクタカバーに働く。このとき、仮に後側カバーがコネクタの後方に延びる後方延長状態とされたままである場合、コネクタの後方に延びる長さにより、支点にはたらく荷重がてこの原理によって大きくなり、コネクタカバーがコネクタから外れる原因となりやすい。これに対して、上記の構成によれば、後側カバーは電線に押されると後方延長状態が解除された後方延長解除状態に移行するから、コネクタカバーが短寸となって、支点にはたらく荷重の増大が抑えられる。これにより、コネクタカバーのコネクタからの脱落を防ぐことができる。
【０００９】
また、後側カバーは連結部によってカバー本体に連結されているから、後方延長状態が解除されたときにカバー本体から脱落することを防ぐことができる。
本明細書に開示された技術に係る実施態様として、次の構成が好ましい。
【００１０】
（１）前記カバー本体には前記コネクタに所定の係止力で係止する係止部が設けられ、前記延長形状保持部が前記後側カバーを前記後方延長状態に保持する保持力は、前記電線が前記後側カバーを押す押圧力よりも小さく設定され、前記所定の係止力は、前記押圧力によって前記係止部に発生する荷重よりも大きく設定されている。
【００１１】
この構成によれば、電線が後側カバーを押す押圧力が延長形状保持部の保持力に勝って後方延長状態を解除する一方、係止部の係止力は前記押圧力によって係止部に発生する荷重よりも大きいからコネクタへの係止が維持される。これにより、コネクタカバーのコネクタへの係止状態を確実に維持することができる。
【発明の効果】
【００１２】
本明細書に開示された技術に係るコネクタカバーによれば、狭小スペースにおいてコネクタを接続する際の作業性を向上しつつ、コネクタからの脱落を防ぐことができる。
【図面の簡単な説明】
【００１３】
【図１】実施形態のコネクタカバーがコネクタに取り付けられた状態を後方から見た斜視図
【図２】コネクタカバーがコネクタに取り付けられた状態の側面図
【図３】コネクタの斜視図
【図４】コネクタカバーの斜視図
【図５】コネクタカバーの底面図
【図６】コネクタカバーの正面図
【図７】コネクタカバーの背面図
【図８】半割り部材を合わせ面側からみた側面図
【図９】コネクタカバーを構成する半割り部材の斜視図
【図１０】半割り部材の下面図
【図１１】図２のＡ−Ａ断面図
【図１２】図２のＢ−Ｂ断面図
【図１３】図２のＣ−Ｃ断面図
【図１４】後側カバーの一分離可能部において後方延長状態が解除された状態を示す上面図
【図１５】後側カバーの両分離可能部において後方延長状態が解除された状態を示す上面図
【図１６】関連形態のコネクタカバーの斜視図
【図１７】関連形態のコネクタカバーが曲げられた状態を示す平面図
【発明を実施するための形態】
【００１４】
＜実施形態＞
（全体構成）
実施形態を、図１から図１５によって説明する。本実施形態のコネクタカバー１は、図１および図２に示すように、コネクタ１００に取り付けて使用される。以下において、図１における上方を上方とし、図２における右方を前方として説明する。
【００１５】
（コネクタ１００）
コネクタ１００は、図３に示すように、前後に延びる直方体形状をなし、電線８０が後方に引き出されている。コネクタ１００は、相手側コネクタに対し前端側が嵌合することで、相手側コネクタと電気的に接続される。
【００１６】
コネクタ１００の後端には、コネクタカバー１が取り付けられる左右一対の取付受部１１０が設けられている。取付受部１１０はコネクタ１００の左右側壁１２からそれぞれ側方に突出している。各取付受部１１０は、コネクタ１００の左右側壁１２から上下に延びる突条形状の抜止突条部１１１と、抜止突条部１１１の前後方向における中央から前方に延びる突条形状の位置決め突条部１１２と、を備えている。
【００１７】
（コネクタカバー１）
コネクタカバー１は、図４から図７に示すように、全体として前後に開口する筒形状をなしている。コネクタカバー１は、図４に示すように、コネクタ１００に取り付けられるカバー本体１０と、カバー本体１０の後方に設けられた後側カバー５０と、カバー本体１０と後側カバー５０とを連結する連結部７０と、を備えている。
【００１８】
（半割り構成）
詳しくは、コネクタカバー１は、図９に示すように、それぞれ全体として前後に延びる樋形状をなす半割り部材１Ｌと、半割り部材１Ｌと同形状をなす第二半割り部材１Ｒとが、互いに対して相対的に１８０°軸回転された配置で互いに係止し合うことで形成されている。以下においては、図１において奥側に示された半割り部材を第一半割り部材１Ｌとし、手前側に示された半割り部材を第二半割り部材１Ｒとして説明する。第一半割り部材１Ｌと第二半割り部材１Ｒにおいて共通して設けられた部位については、第一半割り部材１Ｌの各部位の末尾にアルファベット「Ｌ」を付し、第二半割り部材１Ｒの各部位の末尾にアルファベット「Ｒ」を付して示すものとする。また、第一半割り部材１Ｌの各部位と、それと共通する第二半割り部材１Ｒの各部位とを総称として示す場合は、末尾にＬおよびＲを付さずに示す場合がある。
【００１９】
（カバー本体１０）
カバー本体１０は、コネクタ１００から引き出された電線８０を包囲しこれを保護するとともに、図１に示すように、電線８０に被せ付けられた電線保護材９０をコネクタ１００に対して固定するために設けられている。
【００２０】
カバー本体１０は、図４に示すように、天井壁１１と、左右側壁１２と、底壁１３とを備えた筒形状をなしており、その内部には、図６に示すように、前方に開口する電線包囲孔１５と、図７に示すように、後方に開口する電線保護材保持孔１６と、が形成されている。電線包囲孔１５と電線保護材保持孔１６とは、図６および図７に示すように、前後方向に連通している。電線保護材保持孔１６は、図８に示すように、前端から後端に亘って、大径部と小径部とが交互に連なった蛇腹形状とされており、その内径は電線保護材９０の大径部と小径部よりもそれぞれ僅かに小さい程度とされている。
【００２１】
カバー本体１０の前端には、図４に示すように、コネクタ１００の取付受部１１０に係止するための左右一対の取付部２０が設けられている。取付部２０は、図１に示すように、カバー本体１０の左右両側壁１２を前方に延出させた形態をなし、図２および図６に示すように、コネクタ１００の係止突条部に係止するための取付凹部２１を備えている。取付凹部２１は、内壁側を外壁側に向かって凹ませた形状とされている。取付凹部２１は、上下に延びる溝形状の抜止凹部２１Ａと、抜止凹部２１Ａの前後方向における中央から前方に延びる溝形状の位置決め凹部２１Ｂと、を備えている。左右一対の取付部２０のうち、一方の取付部２０Ｌは第一半割り部材１Ｌに設けられ、他方の取付部２０Ｒは第二半割り部材１Ｒに設けられている。
【００２２】
カバー本体１０は、図４に示すように、第一半割り部材１Ｌおよび第二半割り部材１Ｒのそれぞれ前側を構成する本体半割り部１０Ｌ、１０Ｒが、上下一対の第一係止部３０と、上下一対の第二係止部４０と、によって、互いから分割可能に保持されている。
【００２３】
（第一係止部３０）
上下一対の第一係止部３０は、それぞれ、第一係止片３１と、第一係止突起３２と、によって構成されている。
【００２４】
上側の第一係止片３１Ｌは、第一半割り部材１Ｌの天井壁１１Ｌに設けられ、第二半割り部材１Ｒの天井壁１１Ｒに沿って舌片形状に延出している。上側の第一係止突起３２Ｒは、第二半割り部材１Ｒの天井壁１１Ｒにおいて第一半割り部材１Ｌ側の端部近傍に設けられ、第一半割り部材１Ｌ側から側壁１２Ｒ側に向かって突出高さが大きくなるテーパ形状をなして、上方に突出している。
【００２５】
下側の第一係止片３１Ｒは、図５に示すように、第二半割り部材１Ｒの底壁１３Ｒに設けられ、下側の第一係止突起３２Ｌは、第一半割り部材１Ｌの底壁１３Ｌに設けられている。
【００２６】
各第一係止部３０は、図４および図５に示すように、第一係止突起３２が第一係止片３１に設けられた第一係止孔３１Ａ内に嵌まり込むことで、係止状態となっている。
【００２７】
（第二係止部４０）
上下一対の第二係止部４０は、それぞれ、第二係止片４１と、第二係止突起４２と、によって構成されている。
【００２８】
上側の第二係止片４１Ｒは、図４に示すように、第二半割り部材１Ｒの天井壁１１Ｒに設けられ、第一半割り部材１Ｌ側の天井壁１１Ｌに沿って舌片形状に延出している。上側の第二係止突起４２Ｒは、第一半割り部材１Ｌの天井壁１１Ｌにおいて第二半割り部材１Ｒ側の端部近傍から上方に突出し、第二半割り部材１Ｒ側から側壁１２Ｌ側に向かって突出高さが大きくなるテーパ形状をなして上方に突出している。
【００２９】
下側の第二係止片４１Ｌは、図５に示すように、第一半割り部材１Ｌの底壁１３Ｌに設けられ、下側の第二係止突起４２Ｒは、第二半割り部材１Ｒの底壁１３Ｒに設けられている。
【００３０】
各第二係止部４０は、図４および図５に示すように、第二係止突起４２が第二係止片４１に設けられた第二係止孔４１Ａ内に嵌まり込むことで、係止状態となっている。
【００３１】
第二係止片４１および第二係止突起４２は、図１０に示すように、第一係止部３０の第一係止片３１および第一係止突起３２とそれぞれ同形状および同寸法とされている。これにより、第二係止部４０と第一係止部３０とは同等の係止力を有している。但し、第二係止部４０は第一係止部３０よりも後方に配されているから、カバー本体１０に側方への押圧力がはたらいた場合、第二係止部４０のほうが第一係止部３０よりも押圧力を受けやすい。したがって、第二係止部４０と第一係止部３０とは、第二係止部４０のほうが第一係止部３０よりも係止解除されやすい配置関係となっている。
【００３２】
第二係止部４０が係止状態とされると、カバー本体１０の後端側においては第一半割り部材１Ｌと第二半割り部材１Ｒとが互いに合わせ面１４を接触させた状態で一体化され、その内部において電線保護材保持孔１６に電線保護材９０が嵌まり込んだ状態となる。これにより、電線保護材９０の伸縮が抑えられた状態で、コネクタ１００に対して固定される。コネクタ１００から引き出された電線８０は、コネクタカバー１内の電線包囲孔１５と電線保護材保持孔１６に保持された電線保護材９０の内部とを通って後方に引き出される。これにより、コネクタ１００から引き出された電線８０は、コネクタカバー１の内部において、側方への屈曲が規制されるとともに、外力から保護された状態となっている。
【００３３】
（後側カバー５０）
さて、コネクタカバー１は上述のように、コネクタ１００から引き出された電線８０を保護するために取り付けられる部材であるが、例えば接続先となる図示しない相手側コネクタが狭小なスペースの奥方に設置されている場合には、作業者はコネクタカバー１の後端を持ってコネクタ１００を偏狭なスペースの奥方に差し込むことがある。このような使用形態を考慮すると、コネクタカバー１の全長は長いことが望ましい。
【００３４】
そこで本実施形態のコネクタカバー１においては、カバー本体１０の後方に後側カバー５０を設けるとともにこれらを連結部７０によって連結し、後側カバー５０の長さ分だけコネクタカバー１を長寸化した構成とされている。
【００３５】
（連結部７０）
連結部７０は、図１０に示すように、板面左右方向に薄く前後に延びる略板形状をなし、コネクタカバー１の左右側方それぞれにおいて、カバー本体１０の後端と、後側カバー５０の前端とを連結している。連結部７０の前後方向における中央部分は、前後端部よりも薄肉とされている。これにより、連結部７０は前後方向における中央において、側方に撓み可能となっている。
【００３６】
後側カバー５０は、図４に示すように、第一半割り部材１Ｌおよび第二半割り部材１Ｒの各後端側を構成する後方から見てコの字形状の後側カバー半割り部５０Ｌ、５０Ｒが、上下一対の延長形状保持部６０によって互いから分割可能に保持され、全体として扁平な角筒形状をなす構成となっている。後側カバー５０の内部は、前後に貫通する電線保護材包囲孔５１となっている。電線保護材包囲孔５１の上下方向における内寸は、電線保護材９０の大径部よりも僅かに小径とされている。
【００３７】
上下一対の延長形状保持部６０は後側カバー５０の前端側に設けられており、それぞれ、延長維持片６１と、延長維持突起６２と、によって構成されている。
【００３８】
上側の延長維持片６１Ｌは、図４に示すように、第一半割り部材１Ｌの天井壁１１Ｌに設けられ、第二半割り部材１Ｒの天井壁１１Ｒに沿って舌片形状に突出している。延長維持片６１Ｌには、上下に貫通する延長維持孔６１ＡＬが形成されている。上側の延長維持突起６２は、第二半割り部材１Ｒの天井壁１１Ｒにおいて第一半割り部材１Ｌ側の端部近傍に設けられ、第一半割り部材１Ｌ側から側壁１２Ｒ側に向かって突出高さが大きくなるテーパ形状をなして上方に突出している。下側の延長維持片６１Ｒは第二半割り部材１Ｒに設けられ、下側の延長維持突起６２Ｌは第一半割り部材１Ｌに設けられている。
【００３９】
各延長形状保持部６０は、延長維持突起６２が延長維持片６１に設けられた延長維持孔６１Ａ内に嵌まり込むことで、係止状態となっている。
【００４０】
延長維持片６１および延長維持突起６２の寸法は、図１０に示すように、上下方向、左右方向、および前後方向において、第二係止部４０の第二係止片４１および第二係止突起４２の１／２程度となっている。これにより、延長形状保持部６０の係止力は、第二係止部４０の係止力よりも小さく設定されている。これとともに、延長形状保持部６０は、第二係止部４０よりも後方に配されているから、後側カバー５０に側方への押圧力がはたらいた場合、延長形状保持部６０のほうが第二係止部４０よりも押圧力を受けやすい。したがって、延長形状保持部６０と第二係止部４０とでは、延長形状保持部６０のほうが係止解除されやすい配置関係となっている。
【００４１】
（コネクタカバー１の取り付け方）
かかる一対の半割り部材１Ｌ，１Ｒからなるコネクタカバー１をコネクタ１００に装着するには、まずカバー本体１０の取付部２０をコネクタ１００の取付受部１１０に左右から嵌めつけながら、コネクタ１００から後方に引き出された電線８０および電線８０に被せられた電線保護材９０に両側から第一半割り部材１Ｌおよび第二半割り部材１Ｒを被せ、各第一係止部３０、各第二係止部４０、および各延長形状保持部６０をそれぞれ係止状態とする。これにより、一対の半割り部材１Ｌ，１Ｒが互いに組み付けられ、コネクタ１００に装着されたコネクタカバー１が完成する。
【００４２】
（コネクタカバー１の係止維持）
この状態において、第一半割り部材１Ｌと第二半割り部材１Ｒとは、図１１に示すように、一対の取付部２０が一対の取付受部１１０に外側方から嵌めつけられて、左右方向の変位が規制されるとともに、図２に示すように、抜止凹部２１Ａおよび位置決め凹部２１Ｂが抜止突条部１１１および位置決め突条部１１２にそれぞれ嵌めつけられることで、前後方向および上下方向の変位が規制した係止状態となっている。そしてこの係止状態は、上述のように第一係止部３０と第二係止部４０のうち、特に第一係止部３０を係止状態とすることで維持されている。
【００４３】
また、第二係止部４０が電線保護材保持孔１６の外面側に設けられているため、図１２に示すように第二係止部４０が係止状態とされることで、電線保護材保持孔１６が開き止めされている。これにより、電線保護材９０が電線保護材保持孔１６内において抜止された状態に保持されている。
【００４４】
また、後側カバー５０の内部においては、図１３に示すように、電線保護材包囲孔５１が電線保護材９０の径大部に接触している。これにより電線保護材９０は電線保護材包囲孔５１内において上下方向にやや潰されつつ、左右に隙間が空いた状態で保持されている。これにより、電線保護材９０は、天井壁１１および底壁１３の各内面に摺接しつつ左右方向に変位することが可能となっている。
【００４５】
このように、コネクタカバー１はコネクタ１００の後方に延びる形でコネクタ１００に固定され、コネクタ１００から後方に引き出された電線８０をその内部（詳しくは、第一半割り部材１Ｌと第二半割り部材１Ｒの間）に収容している。したがって、当該コネクタ１００を機器側コネクタ１００に接続する際には、作業者はコネクタ１００およびコネクタカバー１（カバー本体１０および後側カバー５０）のうち任意の部位を持って相手側コネクタへの接続作業を行うことができる。
【００４６】
第一係止部３０、第二係止部４０、および延長形状保持部６０の係止状態は、各係止片の自由端を上方に持ち上げるか、または係止片と係止突起とを互いから側方に離間させる方向に強く引っ張ることで解除される。
【００４７】
ところで、特にスペースの限られた車両内においては、当該コネクタ１００を接続先コネクタに接続した後、電線８０の他端側を相手側機器に接続する場合、相手側機器が電線８０を曲げることなく接続できる位置に配置されているとは限らない。例えば、相手側機器が、コネクタカバー１の側方における直近の位置において、接続方向をコネクタカバー１に向けて配置されており、電線保護材９０を直角またはそれ以上曲げて電線８０の先端を相手側機器の接続方向に向けさせる場合がある。このとき、電線保護材９０がコネクタカバー１の後端に当接すると、当該後端Ｐ１（図１参照）を力点とし、取付部２０を支点Ｐ０（図１参照））として、コネクタカバー１全体を回転変位させようとする荷重が発生する。
【００４８】
このとき、本実施形態においてはコネクタカバー１においてはカバー本体１０の後方に後側カバー５０が設けられ、コネクタカバー１が長寸化されているから、力点から支点までの距離Ｌ１（図１０参照）が相対的に長くなり、支点に働く荷重が、てこの原理により増大する。この荷重が取付部２０の係止力を超えると、コネクタカバー１がコネクタ１００から外れてしまう。
【００４９】
そこで、本実施形態のコネクタカバー１においては、上述のように後側カバー５０とカバー本体１０との間に側方に撓み可能な連結部７０を設けるとともに、それぞれが連結部によってカバー本体１０に連結された左右一対の後側カバー半割り部５０Ｌ、５０Ｒが互いから分離可能に係止されることで後側カバー５０が形成された構造としている。また、延長形状保持部６０の係止力（保持力）、第二係止部４０の係止力、および第一係止部３０の係止力は、上述のように、延長形状保持部６０、第二係止部４０、および第一係止部３０がこの順で係止解除されるように設定されている。
【００５０】
電線保護材９０が側方に曲げられて後側カバー５０に当接した場合には、まず後側カバー５０が電線保護材９０に押される。このとき、押されなかった側の後側カバー半割り部５０Ｒは連結部７０の弾性復帰力により元の位置に戻ろうとする一方、押された側の手持ち半割り部５０Ｌは引き続き電線保護材９０から押圧力を受けるから、延長形状保持部６０はこじられるように左右に引っ張られて係止解除される。これにより、後側カバー５０の後方延長状態が解除された後方延長解除状態となり、図１４に示すように、後側カバー５０が二つの後側カバー半割り部５０Ｌ、５０Ｒに分割された分割状態に移行する。分割状態においては、押された側の後側カバー５０がヒンジを中心として回転変位可能となり、電線保護材９０に引き続き押される等して電線保護材９０の移動範囲外に退避する。
この状態においては、電線保護材９０とコネクタカバー１との接点は、カバー本体１０の後端Ｐ２（図１０参照）に移動する。これにより、支点Ｐ０と力点Ｐ２との距離がＬ１よりも短いＬ２となり、支点Ｐ０における荷重の増大が抑えられる。
【００５１】
また、電線保護材９０がさらに曲げられた場合には、次に第二係止部４０の係止状態が解除され、カバー本体１０の後端が分割される。これにより、力点がさらに点Ｐ３（図１０参照）またはその近傍に移動し、力点Ｐ３がさらに支点Ｐ０に近づいて、支点における荷重の増大がさらに抑えられる。
【００５２】
また、電線８０ないし電線保護材９０がこれを超えてさらに曲げられた場合には、第一係止部３０の係止状態が解除され、取付部２０の係止状態も解除される。これにより、コネクタカバー１はコネクタ１００から外れてしまうこととなるが、コネクタ１００の取付受部１１０を荷重から開放することになるため、少なくともコネクタ１００の破損は回避することができる。
【００５３】
なお、本実施形態においては後側カバー５０が第一半割り部材１Ｌおよび第二半割り部材１Ｒの各後側カバー５０によって構成され、これらが連結部７０を介してカバー本体１０に連結されているから、図１５に示すように、後側カバー５０は電線保護材９０の両側方において後方延長状態が解除可能となっている。これにより、電線保護材９０がコネクタカバー１を左右いずれの方向に押した場合にも、カバー本体１０が電線保護材９０によって押された側において短寸化されるようになっている。
【００５４】
（作用効果）
本実施形態の構成によれば、コネクタ１００から後方に延びる電線８０を保護するコネクタカバー１であって、前記コネクタ１００の後方に延びる形に取り付け可能であって、前記コネクタ１００に固定されたカバー本体１０と、前記カバー本体１０の後方に配された後側カバー５０と、前記後側カバー５０と前記カバー本体１０とを連結する連結部７０と、前記後側カバー５０を前記コネクタ１００の後方に延びる後方延長状態に保持可能な延長形状保持部６０と、を備え、前記後側カバー５０は、前記電線８０によって側方に押されて前記後方延長状態が解除された後方延長解除状態に移行する。
この構成によれば、後側カバー５０は後方延長状態においてコネクタ１００の後方に延びる形状とされるから、後側カバー５０の長さ分だけコネクタカバー１を長寸化することができる。これにより、例えば狭小なスペースの奥方に配置された相手側コネクタに接続する際にも、後側カバー５０を持ってコネクタ１００を狭小なスペースの奥方に差し込むことができ、作業性がよい。
【００５５】
また、電線８０が曲げられて後側カバー５０に当接すると、後側カバー５０を力点Ｐ１とし、カバー本体１０のコネクタ１００との取付箇所を支点Ｐ０としてコネクタカバー１を回転変位させる力がコネクタカバー１に働く。このとき、仮に後側カバー５０がコネクタ１００の後方に延びる後方延長状態とされたままである場合、コネクタ１００の後方に延びる長さＬ１により、支点Ｐ０にはたらく荷重がてこの原理によって大きくなり、コネクタカバー１がコネクタ１００から外れる原因となりやすい。これに対して、上記の構成によれば、後側カバー５０は電線８０に押されると後方延長状態が解除された後方延長解除状態に移行するから、コネクタカバー１が短寸Ｌ２となって、支点Ｐ０にはたらく荷重の増大が抑えられる。これにより、コネクタカバー１のコネクタ１００からの脱落を防ぐことができる。
【００５６】
また、後側カバー５０は連結部７０によってカバー本体１０に連結されているから、後方延長状態が解除されたときにカバー本体１０から脱落することを防ぐことができる。
【００５７】
前記カバー本体１０には前記コネクタ１００への係止を所定の係止力で維持する係止部が設けられ、前記延長形状保持部６０が前記後側カバー５０を前記後方延長状態に保持する保持力は、前記電線８０が前記後側カバー５０を押す押圧力よりも小さく設定され、前記所定の係止力は、前記押圧力によって前記係止部に発生する荷重よりも大きく設定されている。
【００５８】
この構成によれば、電線８０が後側カバー５０を押す押圧力が延長形状保持部６０の保持力に勝って後方延長状態を解除する一方、係止部の係止力は前記押圧力によって係止部に発生する荷重よりも大きいから、コネクタ１００への係止が維持される。これにより、コネクタカバー１のコネクタ１００への係止状態を確実に維持することができる。
【００５９】
＜他の実施形態＞
本明細書に開示された技術は上記記述及び図面によって説明した実施形態に限定されるものではなく、例えば次のような形態で実施することが可能である。
【００６０】
（１）上記実施形態においては、電線８０に電線保護材９０としてコルゲートチューブが被せられ、電線保護材９０を第二係止部４０によって第二係止孔内に保持する構成としたが、電線保護材９０は省いてもよい。この場合、後側カバーは、電線によって側方に押されて後方延長状態が解除される。
【００６１】
（２）上記実施形態においては、カバー本体１０に第一係止部３０および第二係止部４０を設けたが、第二係止部４０は省いてもよい。
【００６２】
（３）上記実施形態においては、後側カバー５０が一対の後側カバー半割り部５０Ｌ，５０Ｒによって構成されるものとしたが、後側カバー５０は一対の後側カバー半割り部によって構成されなくてもよい。例えば、後側カバーが３つ以上に縦割りされた形状とされ、これらがそれぞれ上記実施形態と同形状の延長形状保持部によって互いに一体化されることで後方延長状態に保持される構成としてもよい。または、例えば電線が屈曲される可能性のある方向が一方のみである場合には、一対の後側カバー半割り部のうち、電線が屈曲される可能性のない側をカバー本体カバー本体の後端に固定された形状（言い換えれば、カバー本体の一部）とし、電線が屈曲される可能性のある側を連結部によってカバー本体と連結された後側カバーとしてもよい。
【００６３】
（４）さらに、上記実施形態においては延長形状保持部６０が延長維持片６１と延長維持突起６２とによって構成されるものとしたが、延長形状保持部６０の構成はこの限りではない。例えば、後側カバーを筒形状をなす１つの部材によって構成するとともに、その筒形状の部材に前後に延びる薄肉の破断可能部を設け、破断可能部が電線に押されて破断されることで後方延長状態が解除される構成としてもよい。この場合、コネクタカバーが電線によって押された側において破断された分だけ短寸化し、電線は後側カバーにおいて破断により形成された隙間から側方に延出することができる。
【００６４】
（５）上記実施形態においては、カバー本体１０の後端と後側カバー５０の前端とが連結部７０によって連結された構成としたが、カバー本体１０および後側カバー５０において連結部によって連結される部位はこれに限らない。例えば、カバー本体１０の前後方向における中央と、後側カバー５０の前後方向における中央とが連結部によって連結された構成としてもよい。
【００６５】
＜関連形態＞
上記実施形態の関連形態を図１６および図１７によって説明する。本関連形態において、上記実施形態と対応する構成については、実施形態１の符号に１０００を足した符号を用いるものとする。実施形態１と同じ構成、作用、および効果についてはその説明を省略するものとし、実施形態１と同じ構成については同一の符号を用いるものとする。
【００６６】
本関連形態においては、上記実施形態と本関連形態のコネクタカバー１００１は後側カバー１０５０とカバー本体１０１０とを連結する連結部を備えない点が上記実施形態のコネクタカバー１と異なる。すなわち、後側カバー１０５０はカバー本体１０１０から独立した部材とされている。
【００６７】
後側カバー１０５０は、電線保護材９０に両側から装着される一対の後側カバー半割り部１０５０Ｕ，１０５０Ｂによって構成されている。後側カバー１０５０は、前端から拡径方向に延出する鍔形状のカバー本体当接可能部１０５２を備えている。コネクタカバー１００１がコネクタ１００に取り付けられた状態においては、後側カバー１０５０はカバー本体当接可能部１０５２をカバー本体１０１０の後端に対向または接触させた状態で、電線保護材９０に取り付けられている。
【００６８】
作業者が狭小スペースにおいてコネクタ１００の相手側コネクタ等への接続作業を行う場合には、作業者は後側カバー１０５０を持ち、カバー本体当接可能部１０５２をカバー本体の後端に当接させて、カバー本体１０１０を相手側コネクタ等に押し込むことができる。
【００６９】
コネクタカバー１００１がコネクタ１００に取り付けられた状態において、電線保護材９０が曲げられると、図１７に示すように、後側カバー１０５０はカバー本体当接可能部１０５２をカバー本体１０１０に当接または対向させつつ、カバー本体１０１０から独立して電線保護材９０に伴って変位する。これにより、後側カバー１０５０の後方延長状態が解除される。
【００７０】
このとき、カバー本体１０１０には、その後端と電線保護材９０との接触点Ｐ１００２を力点とする荷重が発生する。すると、第一係止部１０３０の係止状態によりも先に第二係止部１０４０の係止状態が解除される。これにより、カバー本体１０１０がコネクタ１００から脱落することを防ぐことができる。
【００７１】
後側カバー１０５０の内部の電線保護材９０が大きく曲げられ、後側カバー１０５０が電線保護材９０から受ける荷重が延長形状保持部１０６０の係止力を超えた場合は、後側カバー１０５０は後側カバー半割り部１０５０Ｕと１０５０Ｂとに分解される。これにより、後側カバー１０５０が電線保護材９０の屈曲に干渉することを防ぐことができる。
【００７２】
本関連形態によれば、上記実施形態と同様、コネクタを接続する際の作業性を向上するとともに、カバー本体１０１０がコネクタ１０００から脱落することを防ぐことができる。ただし当該関連形態の場合は、後側カバー半割り部１０５０Ｌ，１０５０Ｒがカバー本体１０１０に連結されていないため、後側カバー半割り部１０５０Ｕ、１０５０Ｂはコネクタ１００から脱落することになる。また、後側カバー半割り部１０５０Ｕ、１０５０Ｂの一方に連結部の弾性復帰力がはたらくことがないため、実施形態よりは延長形状保持部１０６０の係止が解除され難い構成となっている。
【符号の説明】
【００７３】
１：コネクタカバー
１０:カバー本体
５０：後側カバー
６０：延長形状保持部
７０：連結部
８０：電線
１００：コネクタ
【図１】
2019160540.tif 000003
【図２】
2019160540.tif 000004
【図３】
2019160540.tif 000005
【図４】
2019160540.tif 000006
【図５】
2019160540.tif 000007
【図６】
2019160540.tif 000008
【図７】
2019160540.tif 000009
【図８】
2019160540.tif 000010
【図９】
2019160540.tif 000011
【図１０】
2019160540.tif 000012
【図１１】
2019160540.tif 000013
【図１２】
2019160540.tif 000014
【図１３】
2019160540.tif 000015
【図１４】
2019160540.tif 000016
【図１５】
2019160540.tif 000017
【図１６】
2019160540.tif 000018
【図１７】
2019160540.tif 000019